(57)【要約】【課題】ジョイントコネクタを利用した複数の短絡回路を含みながらその取扱いが容易で接続信頼性の高いワイヤハーネス及びこのワイヤハーネスを簡素な工程によって製造することができる方法を提供することを課題とする。【解決手段】本発明に係るワイヤハーネス１００は、複数の電線１０が束ねられてなる幹線１２と、これに巻付けられる幹線用テープ１８と、幹線１２に沿った複数の位置において当該幹線１２を構成する電線１０のうちの分岐電線１４の端末に接続される複数の短絡用のジョイントコネクタＪＣとを備える。全てのジョイントコネクタＪＣの導体保持部４３の開口４３ａが幹線１２の一方の端末側を向くように各ジョイントコネクタＪＣが当該幹線１２上にそれぞれ設置され、幹線用テープ１８を利用して幹線１２上に固定されることを特徴とする。【選択図】図１
2010103044.tif 000002
【特許請求の範囲】
【請求項１】
複数の短絡回路を含むワイヤハーネスであって、
複数の電線が束ねられてなる幹線と、
この幹線を構成する電線の周囲に巻付けられてその結束状態を保持する幹線用テープと、
前記幹線に沿った複数の位置において当該幹線に含まれる電線のうち当該幹線から引き出された複数の分岐電線の端末のそれぞれに接続されることによりこれらの分岐電線を相互に短絡させる複数のジョイントコネクタとを備え、
これら複数のジョイントコネクタは、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとをそれぞれ備え、全てのジョイントコネクタの前記導体保持部の開口が前記幹線の一方の端末側を向くように各ジョイントコネクタが当該幹線上にそれぞれ設置され、
前記幹線用テープは、各ジョイントコネクタの設置位置では、当該ジョイントコネクタからこのジョイントコネクタに接続された分岐電線に向けて当該ジョイントコネクタ及び当該分岐電線と当該幹線とに跨ってその周囲に一括して巻付けられることにより各ジョイントコネクタを当該幹線上に固定していることを特徴とする複数の短絡回路を含むワイヤハーネス。
【請求項２】
複数の短絡回路を含むワイヤハーネスであって、
複数の電線が束ねられてなる幹線と、
この幹線を構成する電線の周囲に巻付けられてその結束状態を保持する幹線用テープと、
前記幹線に沿った複数の位置において当該幹線に含まれる電線のうち当該幹線から引き出された複数の分岐電線の端末のそれぞれに接続されることによりこれらの分岐電線を相互に短絡させる複数のジョイントコネクタとを備え、
これら複数のジョイントコネクタは、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとをそれぞれ備え、
前記幹線の特定の中間位置を挟んでその両側に前記ジョイントコネクタが位置し、各ジョイントコネクタが前記導体保持部の開口を前記中間位置と反対側に向けて当該幹線上にそれぞれ設置され、
前記幹線用テープは、各ジョイントコネクタの設置位置では、当該ジョイントコネクタからこのジョイントコネクタに接続された分岐電線に向けて当該ジョイントコネクタ及び当該分岐電線と当該幹線とに跨ってその周囲に一括して巻付けられることにより前記各ジョイントコネクタを当該幹線上に固定していることを特徴とする複数の短絡回路を含むワイヤハーネス。
【請求項３】
請求項１又は２に記載の短絡回路を含むワイヤハーネスにおいて、
前記幹線からは複数の電線が束ねられてなる支線が分岐し、当該支線には前記ジョイントコネクタが設けられ、
前記ジョイントコネクタは、当該支線に沿った１又は複数の位置において当該支線に含まれる電線のうち当該支線から引き出された複数の支線分岐電線の端末のそれぞれに接続されることによりこれらの支線分岐電線を相互に短絡させ、当該支線における全てのジョイントコネクタの前記導体保持部の開口が当該支線の前記幹線からの分岐始点と反対側の端末を向くように各ジョイントコネクタが当該支線上にそれぞれ設置され、
前記幹線用テープは、前記支線を構成する電線の周囲に巻付けられ、各ジョイントコネクタの設置位置では、当該ジョイントコネクタからこのジョイントコネクタに接続された支線分岐電線に向けて当該ジョイントコネクタ及び当該支線分岐電線と当該支線とに跨ってその周囲に一括して巻付けられることにより各ジョイントコネクタを当該支線上に固定していることを特徴とする複数の短絡回路を含むワイヤハーネス。
【請求項４】
複数の短絡回路を含むワイヤハーネスであって、
複数の電線が束ねられてなる幹線と、
この幹線から分岐し、複数の電線が束ねられてなる支線と、
前記幹線を構成する電線又は前記支線を構成する電線の周囲に巻付けられてその結束状態を保持する幹線用テープと、
前記支線に沿った１又は複数の位置において当該支線に含まれる電線のうち当該支線から引き出された複数の支線分岐電線の端末のそれぞれに接続されることによりこれらの支線分岐電線を相互に短絡させるジョイントコネクタとを備え、
これら複数のジョイントコネクタは、単一の金属板からなり、前記各支線分岐電線の端末に設けられた電線側端子とそれぞれ嵌合する複数の嵌合部を含み、その嵌合状態で当該支線分岐電線同士を短絡させる短絡用金属板と、後端に設けられた開口から前記短絡用金属板が圧入されることにより当該短絡用基板が保持される導体保持部及び前方に開口し且つその開口から前記各支線分岐電線の電線側端子が前記嵌合部と嵌合するために挿入される複数の端子収容室を有する絶縁ハウジングとをそれぞれ備え、全てのジョイントコネクタの前記導体保持部の開口が当該支線の前記幹線からの分岐始点と反対側の端末を向くように各ジョイントコネクタが当該支線上にそれぞれ設置され、
前記幹線用テープは、各ジョイントコネクタの設置位置では、当該ジョイントコネクタからこのジョイントコネクタに接続された支線分岐電線に向けて当該ジョイントコネクタ及び当該再分岐電線と当該支線とに跨ってその周囲に一括して巻付けられることにより各ジョイントコネクタを当該支線上に固定していることを特徴とする複数の短絡回路を含むワイヤハーネス。
【請求項５】
請求項１又は２に記載の複数の短絡回路を含むワイヤハーネスにおいて、
前記各ジョイントコネクタは、前記分岐電線の中間部分がその分岐始点から前記幹線に沿う方向に膨出するように畳まれながら幹線上に設置され、前記幹線用テープによって当該幹線上に固定されていることを特徴とする複数の短絡回路を含むワイヤハーネス。
【請求項６】
請求項３又は４に記載の複数の短絡回路を含むワイヤハーネスにおいて、
前記各ジョイントコネクタは、前記支線分岐電線の中間部分がその分岐始点から前記支線に沿う方向に膨出するように畳まれながら支線上に設置され、前記幹線用テープによって当該支線上に固定されていることを特徴とする複数の短絡回路を含むワイヤハーネス。
【請求項７】
複数の短絡回路を含むワイヤハーネスを製造するための方法であって、
複数の電線を束ねることにより幹線を形成する工程と、
前記幹線に沿った複数の位置において当該幹線に含まれる電線のうちの特定の複数の電線を分岐電線として引き出す工程と、
これらの分岐電線が引き出された当該幹線の各位置において、当該引き出された複数の電線の端末に、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとを備えるジョイントコネクタを接続することにより当該分岐電線同士を短絡させる工程と、
全てのジョイントコネクタの前記導体保持部の開口が前記幹線の一方の端末側を向くように各ジョイントコネクタを当該幹線上にそれぞれ設置する工程と、
前記幹線の前記一方の端末から他方の端末側に進行させるように当該幹線を構成する電線の周囲に幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された分岐電線側に進行させるように当該ジョイントコネクタ及び当該分岐電線と当該幹線とに跨ってその周囲に前記幹線用テープを一括して螺旋状に巻付けることにより前記各ジョイントコネクタを当該幹線上に固定する工程と、
を含むことを特徴とする複数の短絡回路を含むワイヤハーネスの製造方法。
【請求項８】
複数の短絡回路を含むワイヤハーネスを製造するための方法であって、
複数の電線を束ねることにより幹線を形成する工程と、
前記幹線に沿った複数の位置において当該幹線に含まれる電線のうちの特定の複数の電線を分岐電線として引き出す工程と、
これらの分岐電線が引き出された当該幹線の各位置において、当該引き出された複数の電線の端末に、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとを備えるジョイントコネクタを接続することにより当該分岐電線同士を短絡させる工程と、
前記幹線の特定の中間位置を挟んでその両側に前記ジョイントコネクタが位置し、各ジョイントコネクタの導体保持部の開口が前記中間置と反対側を向くように各ジョイントコネクタを当該幹線上にそれぞれ設置する工程と、
前記幹線の両端の各端末から前記中間位置側に進行させるように当該幹線を構成する電線の周囲に幹線用テープを螺旋状にそれぞれ巻付けてその結束状態を保持すると共に、各ジョイントコネクタの設置位置では、当該ジョイントコネクタについてその導体保持部の開口が向く側の端末からこのジョイントコネクタに接続された分岐電線側に進行させるように当該ジョイントコネクタ及び当該分岐電線と当該幹線とに跨ってその周囲に前記幹線用テープを一括して螺旋状に巻付けることにより前記各ジョイントコネクタを当該幹線上に固定する工程と、
を含むことを特徴とする複数の短絡回路を含むワイヤハーネスの製造方法。
【請求項９】
請求項７又は８に記載の複数の短絡回路を含むワイヤハーネスの製造方法において、
前記幹線に含まれる電線のうち特定の複数の電線を引き出し、これら引き出した電線を含む複数の電線を束ねることにより前記幹線から分岐する支線を形成する工程と、
前記支線に沿った複数の位置において当該支線に含まれる電線のうちの特定の複数の電線を支線分岐電線として引き出す工程と、
これらの支線分岐電線が引き出された当該支線の各位置において、当該引き出された複数の電線の端末に前記ジョイントコネクタを接続することにより当該支線分岐電線同士を短絡させる工程と、
前記支線における全てのジョイントコネクタの前記導体保持部の開口が当該支線の前記幹線からの分岐始点と反対側を向くように各ジョイントコネクタを当該支線上にそれぞれ設置する工程と、
前記支線の前記幹線からの分岐始点と反対側の端末から前記分岐始点側に進行させるように当該支線を構成する電線の周囲に前記幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された支線分岐電線側に進行させるように当該ジョイントコネクタ及び当該支線分岐電線と当該支線とに跨ってその周囲に前記幹線用テープを一括して螺旋状に巻付けることにより前記各ジョイントコネクタを当該支線上に固定する工程と、
をさらに含むことを特徴とする複数の短絡回路を含むワイヤハーネスの製造方法。
【請求項１０】
複数の短絡回路を含むワイヤハーネスを製造するための方法であって、
複数の電線を束ねることにより幹線を形成する工程と、
この幹線に含まれる電線のうち特定の複数の電線を引き出し、これら引き出した電線を含む複数の電線を束ねることにより前記幹線から分岐する支線を形成する工程と、
前記支線に沿った複数の位置において当該支線に含まれる電線のうちの特定の複数の電線を支線分岐電線として引き出す工程と、
これらの支線分岐電線が引き出された当該支線の各位置において、当該引き出された複数の電線の端末に、単一の金属板からなり、前記各支線分岐電線の端末に設けられた電線側端子とそれぞれ嵌合する複数の嵌合部を含み、その嵌合状態で当該支線分岐電線同士を短絡させる短絡用金属板と、後端に設けられた開口から前記短絡用金属板が圧入されることにより当該短絡用基板が保持される導体保持部及び前方に開口し且つその開口から前記各支線分岐電線の電線側端子が前記嵌合部と嵌合するために挿入される複数の端子収容室を有する絶縁ハウジングとを備えるジョイントコネクタを接続することにより当該支線分岐電線同士を短絡させる工程と、
全てのジョイントコネクタの前記導体保持部の開口が前記支線の前記幹線からの分岐始点と反対側を向くように各ジョイントコネクタを当該支線上にそれぞれ設置する工程と、
前記幹線の前記一方の端末から他方の端末側に進行させるように当該幹線を構成する電線の周囲に幹線用テープを螺旋状に巻付けてその結束状態を保持する工程と、
前記支線の前記幹線からの分岐始点と反対側の端末から前記分岐始点側に進行させるように当該支線を構成する電線の周囲に前記幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された支線分岐電線側に進行させるように当該ジョイントコネクタ及び当該支線分岐電線と当該支線とに跨ってその周囲に前記幹線用テープを一括して螺旋状に巻付けることにより前記各ジョイントコネクタを当該支線上に固定する工程と、
を含むことを特徴とする複数の短絡回路を含むワイヤハーネスの製造方法。
【請求項１１】
請求項７又は８に記載の複数の短絡回路を含むワイヤハーネスの製造方法において、
前記各ジョイントコネクタを当該幹線上にそれぞれ設置する工程では、前記分岐電線の中間部分をその分岐始点から前記幹線に沿う方向に膨出するように畳みながら前記各ジョイントコネクタを幹線上に設置することを特徴とする複数の短絡回路を含むワイヤハーネスの製造方法。
【請求項１２】
請求項９又は１０に記載の複数の短絡回路を含むワイヤハーネスの製造方法において、
前記各ジョイントコネクタを当該支線上にそれぞれ設置する工程では、前記支線分岐電線の中間部分をその分岐始点から前記支線に沿う方向に膨出するように畳みながら前記各ジョイントコネクタを支線上に設置することを特徴とする複数の短絡回路を含むワイヤハーネスの製造方法。
【発明の詳細な説明】
【技術分野】
【０００１】
本発明は、自動車等の車両に設けられ、複数の電線を含むとともにその特定の電線同士を短絡させる複数の短絡回路を含むワイヤハーネス、及びこのワイヤハーネスを製造するための方法に関するものである。
【背景技術】
【０００２】
従来、短絡回路を含むワイヤハーネスとして、当該電線の短絡にジョイントコネクタを用いたものが知られている。例えば特許文献１には、ワイヤハーネスの幹線から分岐した分岐電線の端末にジョイントコネクタが設けられ、このジョイントコネクタにより当該分岐電線の端末同士が短絡されるものが記載されている。より具体的に、前記幹線を構成する電線の周囲には幹線用テープが巻付けられ、この幹線用テープの外側に前記分岐電線が導出される。そして、これら分岐電線の端末に共通のジョイントコネクタが接続された状態で、これらの分岐電線の周囲にも前記幹線用テープとは別の支線用テープが巻付けられる。
【０００３】
この複数の分岐電線の端末に共通のジョイントコネクタが接続され、これらの分岐電線の周囲に支線用テープが巻付けられたものがワイヤハーネスの幹線に沿って複数の位置に設けられることにより前記の複数の短絡回路を含むワイヤハーネスが得られる。
【特許文献１】特開２００３−２９７４５１号公報
【発明の開示】
【発明が解決しようとする課題】
【０００４】
前記のワイヤハーネスでは、周囲に幹線用テープが巻付けられた幹線からさらに複数の分岐電線が分岐しているため、その取扱いが面倒である。具体的には、各分岐電線の周囲にさらに前記幹線用テープとは別のテープをそれぞれ巻付ける必要があり、かつ、各分岐電線を幹線に沿わせて固定するために前記幹線用テープとは別のテープ等を用いる必要がある。
【０００５】
また、複数の分岐電線がワイヤハーネスの幹線の外部に導出されていることから、各分岐電線やその端末のジョイントコネクタが他の部材にひっかかることのないようにワイヤハーネスの取扱いに留意しなければならず、その面倒は前記分岐電線の数が増加するほど、また、前記各分岐電線が長尺になるほど顕著となる。特に、前記ひっかかり等に起因して前記分岐電線に大きな張力が作用すると、当該分岐電線と前記ジョイントコネクタとの接続が外れるおそれもあり、その接続の信頼性に影響を与えるおそれがある。
【０００６】
本発明は、このような事情に鑑み、ジョイントコネクタを利用した複数の短絡回路を含みながらその取扱いが容易で接続信頼性の高いワイヤハーネス及びこのワイヤハーネスを簡素な工程によって製造することができる方法を提供することを目的とする。
【課題を解決するための手段】
【０００７】
そこで、上記課題を解消すべく、本発明は、複数の短絡回路を含むワイヤハーネスであって、複数の電線が束ねられてなる幹線と、この幹線を構成する電線の周囲に巻付けられてその結束状態を保持する幹線用テープと、前記幹線に沿った複数の位置において当該幹線に含まれる電線のうち当該幹線から引き出された複数の分岐電線の端末のそれぞれに接続されることによりこれらの分岐電線を相互に短絡させる複数のジョイントコネクタとを備え、これら複数のジョイントコネクタは、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとをそれぞれ備え、全てのジョイントコネクタの前記導体保持部の開口が前記幹線の一方の端末側を向くように各ジョイントコネクタが当該幹線上にそれぞれ設置され、前記幹線用テープは、各ジョイントコネクタの設置位置では、当該ジョイントコネクタからこのジョイントコネクタに接続された分岐電線に向けて当該ジョイントコネクタ及び当該分岐電線と当該幹線とに跨ってその周囲に一括して巻付けられることにより各ジョイントコネクタを当該幹線上に固定していることを特徴とする。
【０００８】
また、上記課題を解消すべく、本発明は、複数の短絡回路を含むワイヤハーネスであって、複数の電線が束ねられてなる幹線と、この幹線を構成する電線の周囲に巻付けられてその結束状態を保持する幹線用テープと、前記幹線に沿った複数の位置において当該幹線に含まれる電線のうち当該幹線から引き出された複数の分岐電線の端末のそれぞれに接続されることによりこれらの分岐電線を相互に短絡させる複数のジョイントコネクタとを備え、これら複数のジョイントコネクタは、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとをそれぞれ備え、前記幹線の特定の中間位置を挟んでその両側に前記ジョイントコネクタが位置し、各ジョイントコネクタが前記導体保持部の開口を前記中間位置と反対側に向けて当該幹線上にそれぞれ設置され、前記幹線用テープは、各ジョイントコネクタの設置位置では、当該ジョイントコネクタからこのジョイントコネクタに接続された分岐電線に向けて当該ジョイントコネクタ及び当該分岐電線と当該幹線とに跨ってその周囲に一括して巻付けられることにより前記各ジョイントコネクタを当該幹線上に固定していることを特徴とする。
【０００９】
これらのワイヤハーネスでは、各ジョイントコネクタ及びこのジョイントコネクタに接続される各分岐電線が幹線上に固定されるので、当該分岐電線の幹線からの膨出長さが削減される。しかも、これらジョイントコネクタ及び分岐電線の固定に幹線用テープが利用されるため、ワイヤハーネスの製造のためのテープ巻き作業が簡略化され、且つ、前記ジョイントコネクタ及び分岐電線が他の部材と直接接触することが前記幹線用テープにより防がれる。
【００１０】
さらに、全てのジョイントコネクタが前記導体保持部の開口を前記幹線の一方の端末側に向けて、又は各ジョイントコネクタが前記導体保持部の開口を前記幹線の特定の中間位置と反対側に向けて幹線上に固定されているため、当該幹線上で隣り合うジョイントコネクタの前記開口同士が対向することがなく、各開口から覗く当該開口から前記絶縁ハウジング（導体保持部）内に圧入された短絡用金属板同士の短絡が防がれる。
【００１１】
即ち、前記導体保持部の開口同士が対向するように隣り合うジョイントコネクタが幹線上に固定されると、例えば、対向する前記導体保持部の開口間に水や汚れ等の導電性の異物が付着することにより前記各開口から覗く短絡用金属板同士の短絡が生じ、また、前記各開口の間隔が狭いと前記ワイヤハーネスに電流が流れ各短絡用金属板に電圧がかかったときに、これら対向する開口内から覗く前記短絡用金属板間で放電による短絡が生じる場合がある。これに対し、全てのジョイントコネクタが前記導体保持部の開口を前記幹線の一方の端末側に向けて、又は各ジョイントコネクタが前記導体保持部の開口を前記幹線の特定の中間位置と反対側に向けて前記幹線上に固定されることにより、当該幹線上において隣り合うジョイントコネクタの導体保持部の開口同士が対向しない配置となるため、隣り合うジョイントコネクタ同士の絶縁を確実に図ることができる。
【００１２】
また、当該幹線におけるジョイントコネクタの設置位置では、当該ジョイントコクタが分岐電線よりも先に前記幹線用テープによって当該幹線上に固定されるため、その後の前記分岐電線の当該幹線上への前記幹線用テープによる固定が行い易くなり、ワイヤハーネスの製造のためのテープ巻き作業の容易化が図られる。
【００１３】
即ち、前記ジョイントコネクタが当該幹線上に先に固定されることにより、このジョイントコネクタに接続された分岐電線の両端、換言すると、前記ワイヤハーネスからの分岐始点及び前記ジョイントコネクタとの接続部位の位置が固定されることで当該分岐電線が当該幹線上で動き難くなり、これにより当該分岐電線と前記幹線との周囲への一括した前記幹線用テープの巻付けが容易になる。
【００１４】
本発明に係る複数の短絡回路を含むワイヤハーネスでは、前記幹線からは複数の電線が束ねられてなる支線が分岐し、当該支線には前記ジョイントコネクタが設けられ、前記ジョイントコネクタは、当該支線に沿った１又は複数の位置において当該支線に含まれる電線のうち当該支線から引き出された複数の支線分岐電線の端末のそれぞれに接続されることによりこれらの支線分岐電線を相互に短絡させ、当該支線における全てのジョイントコネクタの前記導体保持部の開口が当該支線の前記幹線からの分岐始点と反対側の端末を向くように各ジョイントコネクタが当該支線上にそれぞれ設置され、前記幹線用テープは、前記支線を構成する電線の周囲に巻付けられ、各ジョイントコネクタの設置位置では、当該ジョイントコネクタからこのジョイントコネクタに接続された支線分岐電線に向けて当該ジョイントコネクタ及び当該支線分岐電線と当該支線とに跨ってその周囲に一括して巻付けられることにより各ジョイントコネクタを当該支線上に固定していることが好ましい。
【００１５】
かかる構成によれば、幹線から分岐した支線にジョイントコネクタが設けられていても、当該支線における各ジョイントコネクタ及びこのジョイントコネクタに接続される各支線分岐電線が支線上に固定されるので、当該支線において支線分岐電線の支線からの膨出長さが削減され、これにより支線において前記膨出長さが削減されていないワイヤハーネスに比べて、当該ワイヤハーネスの取扱いが容易になる。しかも、支線におけるこれらジョイントコネクタ及び支線分岐電線の固定にも幹線用テープが利用されるため、ワイヤハーネスの製造のためのテープ巻き作業が簡略化され、且つ、前記ジョイントコネクタ及び支線分岐電線が他の部材と直接接触することが前記幹線用テープにより防がれる。
【００１６】
さらに、支線において全てのジョイントコネクタが前記導体保持部の開口を当該支線の前記幹線からの前記分岐始点と反対側に向けて支線上に固定されているため、幹線だけでなく当該支線上でも隣り合うジョイントコネクタの短絡用金属板同士の短絡が防がれる。
【００１７】
また、上記課題を解消すべく、本発明は、複数の短絡回路を含むワイヤハーネスであって、複数の電線が束ねられてなる幹線と、この幹線から分岐し、複数の電線が束ねられてなる支線と、前記幹線を構成する電線又は前記支線を構成する電線の周囲に巻付けられてその結束状態を保持する幹線用テープと、前記支線に沿った１又は複数の位置において当該支線に含まれる電線のうち当該支線から引き出された複数の支線分岐電線の端末のそれぞれに接続されることによりこれらの支線分岐電線を相互に短絡させるジョイントコネクタとを備え、これら複数のジョイントコネクタは、単一の金属板からなり、前記各支線分岐電線の端末に設けられた電線側端子とそれぞれ嵌合する複数の嵌合部を含み、その嵌合状態で当該支線分岐電線同士を短絡させる短絡用金属板と、後端に設けられた開口から前記短絡用金属板が圧入されることにより当該短絡用基板が保持される導体保持部及び前方に開口し且つその開口から前記各支線分岐電線の電線側端子が前記嵌合部と嵌合するために挿入される複数の端子収容室を有する絶縁ハウジングとをそれぞれ備え、全てのジョイントコネクタの前記導体保持部の開口が当該支線の前記幹線からの分岐始点と反対側の端末を向くように各ジョイントコネクタが当該支線上にそれぞれ設置され、前記幹線用テープは、各ジョイントコネクタの設置位置では、当該ジョイントコネクタからこのジョイントコネクタに接続された支線分岐電線に向けて当該ジョイントコネクタ及び当該再分岐電線と当該支線とに跨ってその周囲に一括して巻付けられることにより各ジョイントコネクタを当該支線上に固定していることを特徴とする。
【００１８】
このように幹線から支線が分岐し、この支線にのみジョイントコネクタが設けられる場合も、支線において各ジョイントコネクタ及びこのジョイントコネクタに接続される各支線分岐電線が支線上に固定されることで、当該支線分岐電線の支線からの膨出長さが削減され、これにより支線において前記膨出長さが削減されていないワイヤハーネスに比べて、当該ワイヤハーネスの取扱いが容易になる。しかも、幹線を構成する電線の結束に加え、支線を構成する電線の結束並びに当該支線へのジョイントコネクタ及び支線分岐電線の固定にも幹線用テープが利用されるため、ワイヤハーネスの製造のためのテープ巻き作業が簡略化され、且つ、前記支線におけるジョイントコネクタ及び支線分岐電線が他の部材と直接接触することが前記幹線用テープにより防がれる。
【００１９】
さらに、支線上の全てのジョイントコネクタが前記導体保持部の開口を当該支線の前記幹線からの分岐始点と反対側に向けて支線上に固定されているため、当該支線上で隣り合うジョイントコネクタの前記開口同士が対向することがなく、各開口から覗く当該開口から前記絶縁ハウジング内に圧入された短絡用金属板同士の短絡が防がれる。
【００２０】
また、当該支線におけるジョイントコネクタの設置位置では、当該ジョイントコクタが支線分岐電線よりも先に前記幹線用テープによって当該支線上に固定されるため、その後の前記支線分岐電線の当該支線上への前記幹線用テープによる固定が行い易くなり、ワイヤハーネスの製造のためのテープ巻き作業の容易化が図られる。
【００２１】
前記ワイヤハーネスの幹線において、前記各ジョイントコネクタは、前記分岐電線の中間部分がその分岐始点から前記幹線に沿う方向に膨出するように畳まれながら幹線上に設置され、前記幹線用テープによって当該幹線上に固定されているのが好ましい。このように各ジョイントコネクタが前記幹線上に固定されると、前記分岐電線の当該幹線に沿う方向に膨出する中間部分、即ち、弛み部分は、当該分岐電線と前記ジョイントコネクタとの接続部分に大きな張力が作用することを防ぐ。
【００２２】
また、前記ワイヤハーネスの支線において、前記各ジョイントコネクタは、前記支線分岐電線の中間部分がその分岐始点から前記支線に沿う方向に膨出するように畳まれながら支線上に設置され、前記幹線用テープによって当該支線上に固定されているのが好ましい。このように各ジョイントコネクタが前記支線上に固定されると、前記支線分岐電線の当該支線に沿う方向に膨出する中間部分、即ち、弛み部分は、当該支線分岐電線と前記ジョイントコネクタとの接続部分に大きな張力が作用することを防ぐ。
【００２３】
また、上記課題を解消すべく、本発明は、複数の短絡回路を含むワイヤハーネスを製造するための方法であって、複数の電線を束ねることにより幹線を形成する工程と、前記幹線に沿った複数の位置において当該幹線に含まれる電線のうちの特定の複数の電線を分岐電線として引き出す工程と、これらの分岐電線が引き出された当該幹線の各位置において、当該引き出された複数の電線の端末に、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとを備えるジョイントコネクタを接続することにより当該分岐電線同士を短絡させる工程と、全てのジョイントコネクタの前記導体保持部の開口が前記幹線の一方の端末側を向くように各ジョイントコネクタを当該幹線上にそれぞれ設置する工程と、前記幹線の前記一方の端末から他方の端末側に進行させるように当該幹線を構成する電線の周囲に幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された分岐電線側に進行させるように当該ジョイントコネクタ及び当該分岐電線と当該幹線とに跨ってその周囲に前記幹線用テープを一括して螺旋状に巻付けることにより前記各ジョイントコネクタを当該幹線上に固定する工程とを含むことを特徴とする。
【００２４】
また、上記課題を解消すべく、本発明は、複数の短絡回路を含むワイヤハーネスを製造するための方法であって、複数の電線を束ねることにより幹線を形成する工程と、前記幹線に沿った複数の位置において当該幹線に含まれる電線のうちの特定の複数の電線を分岐電線として引き出す工程と、これらの分岐電線が引き出された当該幹線の各位置において、当該引き出された複数の電線の端末に、単一の金属板からなり、前記各分岐電線の端末に設けられた電線側端子とそれぞれ嵌合する複数の嵌合部を含み、その嵌合状態で当該分岐電線同士を短絡させる短絡用金属板と、後端に設けられた開口から前記短絡用金属板が圧入されることにより当該短絡用基板が保持される導体保持部及び前方に開口し且つその開口から前記各分岐電線の電線側端子が前記嵌合部と嵌合するために挿入される複数の端子収容室を有する絶縁ハウジングとを備えるジョイントコネクタを接続することにより当該分岐電線同士を短絡させる工程と、前記幹線の特定の中間位置を挟んでその両側に前記ジョイントコネクタが位置し、各ジョイントコネクタの導体保持部の開口が前記中間置と反対側を向くように各ジョイントコネクタを当該幹線上にそれぞれ設置する工程と、前記幹線の両端の各端末から前記中間位置側に進行させるように当該幹線を構成する電線の周囲に幹線用テープを螺旋状にそれぞれ巻付けてその結束状態を保持すると共に、各ジョイントコネクタの設置位置では、当該ジョイントコネクタについてその導体保持部の開口が向く側の端末からこのジョイントコネクタに接続された分岐電線側に進行させるように当該ジョイントコネクタ及び当該分岐電線と当該幹線とに跨ってその周囲に前記幹線用テープを一括して螺旋状に巻付けることにより前記各ジョイントコネクタを当該幹線上に固定する工程とを含むことを特徴とする。
【００２５】
これらの方法では、一方の端末から他方の端末側へ進行させ、又は幹線の両端の各端末から前記中間位置側に進行させるように幹線用テープを螺旋状に巻付けるだけで、ワイヤハーネスの幹線への幹線用テープの巻付けと、当該幹線への各ジョイントコネクタ及び各分岐電線の固定とが一括して効率よく行われる。
【００２６】
しかも、全てのジョイントコネクタの前記導体保持部の開口が前記幹線の一方の端末側を向くように各ジョイントコネクタを幹線上に設置し、当該幹線の前記一方の端末から他方の端末側に進行させるように幹線用テープを螺旋状に巻付けるため、当該幹線の各ジョイントコネクタの設置位置では分岐電線よりも先にジョイントコネクタが幹線上に固定される。そのため、このジョイントコネクタに接続された分岐電線が当該幹線上で位置決めされ、これにより当該分岐電線と幹線とに一括して幹線用テープを巻付けることが容易になり、ワイヤハーネスの製造のためのテープ巻き作業を容易に行うことができる。
【００２７】
一方、前記中間位置を挟んでその両側に前記ジョイントコネクタが位置し、各ジョイントコネクタの導体保持部の開口が前記中間位置と反対側を向くように各ジョイントコネクタを幹線上に設置した場合も、当該幹線の両端の各端末から前記中間位置側に進行させるように幹線用テープを螺旋状に巻付けることで、前記同様に当該幹線の各ジョイントコネクタの設置位置では分岐電線よりも先にジョイントコネクタが幹線上に固定され、当該分岐電線と幹線とに一括して幹線用テープを巻付けることが容易になる。
【００２８】
即ち、前記のように前記ジョイントコネクタが当該幹線上に先に固定されることにより、このジョイントコネクタに接続された分岐電線の両端、換言すると、前記ワイヤハーネスからの分岐始点及び前記ジョイントコネクタとの接続部位の位置が固定されることで当該分岐電線が当該幹線上で動き難くなり、これにより当該分岐電線と前記幹線との周囲への一括した前記幹線用テープの巻付けが容易になる。
【００２９】
さらに、ジョイントコネクタを幹線上に固定するときに、前記導体保持部の開口が前記幹線の一方の端末側を向く（前記幹線の前記中間位置と反対側を向く）ように各ジョイントコネクタを幹線上に設置し、各ジョイントコネクタと幹線とに一括して幹線用テープを巻付けるといった容易な作業によって、幹線上に隣り合って固定されるコネクタ同士の短絡が生じ難いワイヤハーネスを得ることができる。
【００３０】
本発明に係る複数の短絡回路を含むワイヤハーネスでは、前記幹線に含まれる電線のうち特定の複数の電線を引き出し、これら引き出した電線を含む複数の電線を束ねることにより前記幹線から分岐する支線を形成する工程と、前記支線に沿った複数の位置において当該支線に含まれる電線のうちの特定の複数の電線を支線分岐電線として引き出す工程と、これらの支線分岐電線が引き出された当該支線の各位置において、当該引き出された複数の電線の端末に前記ジョイントコネクタを接続することにより当該支線分岐電線同士を短絡させる工程と、前記支線における全てのジョイントコネクタの前記導体保持部の開口が当該支線の前記幹線からの分岐始点と反対側を向くように各ジョイントコネクタを当該支線上にそれぞれ設置する工程と、前記支線の前記幹線からの分岐始点と反対側の端末から前記分岐始点側に進行させるように当該支線を構成する電線の周囲に前記幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された支線分岐電線側に進行させるように当該ジョイントコネクタ及び当該支線分岐電線と当該支線とに跨ってその周囲に前記幹線用テープを一括して螺旋状に巻付けることにより前記各ジョイントコネクタを当該支線上に固定する工程と、をさらに含んでもよい。
【００３１】
かかる方法によれば、幹線から支線が分岐し、この支線にジョイントコネクタが設けられていても、支線において前記分岐始点と反対側の端末から前記分岐始点側へ進行させるように幹線用テープを螺旋状に巻付けることで、ワイヤハーネスの幹線への幹線用テープの巻付けと当該幹線への各ジョイントコネクタ及び各分岐電線の固定、並びに支線への幹線用テープの巻付け及び当該支線への各ジョイントコネクタ及び各支線分岐電線の固定が一括して効率よく行われる。
【００３２】
しかも、支線における全てのジョイントコネクタの前記導体保持部の開口が前記分岐始点と反対側の端末を向くように各ジョイントコネクタを支線上に設置し、当該支線の前記分岐始点と反対側の端末から前記分岐始点側に進行させるように幹線用テープを螺旋状に巻付けるため、当該支線の各ジョイントコネクタの設置位置では支線分岐電線よりも先にジョイントコネクタが支線上に固定される。そのため、このジョイントコネクタに接続された支線分岐電線が当該支線上で位置決めされ、これにより当該支線分岐電線と支線とに一括して幹線用テープを巻付けることが容易になり、ジョイントコネクタを備えた支線が幹線から分岐していてもワイヤハーネスの製造のためのテープ巻き作業を容易に行うことができる。
【００３３】
さらに、ジョイントコネクタを支線上に固定するときに、前記導体保持部の開口が当該支線の前記幹線からの分岐始点と反対側の端末を向くように各ジョイントコネクタを支線上に設置し、各ジョイントコネクタと支線とに一括して幹線用テープを巻付けるといった容易な作業によって、幹線上だけでなく支線上に隣り合って固定されるコネクタ同士の短絡も生じ難いワイヤハーネスを得ることができる。
【００３４】
また、上記課題を解消すべく、本発明は、複数の短絡回路を含むワイヤハーネスを製造するための方法であって、複数の電線を束ねることにより幹線を形成する工程と、この幹線に含まれる電線のうち特定の複数の電線を引き出し、これら引き出した電線を含む複数の電線を束ねることにより前記幹線から分岐する支線を形成する工程と、前記支線に沿った複数の位置において当該支線に含まれる電線のうちの特定の複数の電線を支線分岐電線として引き出す工程と、これらの支線分岐電線が引き出された当該支線の各位置において、当該引き出された複数の電線の端末に、単一の金属板からなり、前記各支線分岐電線の端末に設けられた電線側端子とそれぞれ嵌合する複数の嵌合部を含み、その嵌合状態で当該支線分岐電線同士を短絡させる短絡用金属板と、後端に設けられた開口から前記短絡用金属板が圧入されることにより当該短絡用基板が保持される導体保持部及び前方に開口し且つその開口から前記各支線分岐電線の電線側端子が前記嵌合部と嵌合するために挿入される複数の端子収容室を有する絶縁ハウジングとを備えるジョイントコネクタを接続することにより当該支線分岐電線同士を短絡させる工程と、全てのジョイントコネクタの前記導体保持部の開口が前記支線の前記幹線からの分岐始点と反対側を向くように各ジョイントコネクタを当該支線上にそれぞれ設置する工程と、前記幹線の前記一方の端末から他方の端末側に進行させるように当該幹線を構成する電線の周囲に幹線用テープを螺旋状に巻付けてその結束状態を保持する工程と、前記支線の前記幹線からの分岐始点と反対側の端末から前記分岐始点側に進行させるように当該支線を構成する電線の周囲に前記幹線用テープを螺旋状に巻付けてその結束状態を保持すると共に、各ジョイントコネクタの設置位置では、当該ジョイントコネクタについてその導体保持部の開口が向く側の端末からこのジョイントコネクタに接続された支線分岐電線側に進行させるように当該ジョイントコネクタ及び当該支線分岐電線と当該支線とに跨ってその周囲に前記幹線用テープを一括して螺旋状に巻付けることにより前記各ジョイントコネクタを当該支線上に固定する工程とを含むことを特徴とする。
【００３５】
この方法によれば、幹線から支線が分岐し、この支線にのみジョイントコネクタが設けられている場合でも、支線において前記分岐始点と反対側の端末から前記分岐始点側へ進行させるように幹線用テープを螺旋状に巻付けることで、ワイヤハーネスの幹線を構成する電線の幹線用テープでの結束に加え、支線への幹線用テープの巻付け及び当該支線への各ジョイントコネクタ及び各支線分岐電線の固定が一括して効率よく行われる。
【００３６】
しかも、支線における全てのジョイントコネクタの前記導体保持部の開口が前記分岐始点と反対側の端末を向くように各ジョイントコネクタを支線上に設置し、当該支線の前記分岐始点と反対側の端末から前記分岐始点側に進行させるように幹線用テープを螺旋状に巻付けるため、当該支線の各ジョイントコネクタの設置位置では支線分岐電線よりも先にジョイントコネクタが支線上に固定される。そのため、このジョイントコネクタに接続された支線分岐電線が当該支線上で位置決めされ、これにより当該支線分岐電線と支線とに一括して幹線用テープを巻付けることが容易になり、ジョイントコネクタを備えた支線が幹線から分岐していてもワイヤハーネスの製造のためのテープ巻き作業を容易に行うことができる。
【００３７】
さらに、ジョイントコネクタを支線上に固定するときに、前記導体保持部の開口が当該支線の前記幹線からの分岐始点と反対側の端末を向くように各ジョイントコネクタを支線上に設置し、各ジョイントコネクタと支線とに一括して幹線用テープを巻付けるといった容易な作業によって、支線上に隣り合って固定されるコネクタ同士の短絡も生じ難いワイヤハーネスを得ることができる。
【００３８】
尚、前記各ジョイントコネクタを当該幹線上にそれぞれ設置する工程では、前記分岐電線の中間部分をその分岐始点から前記幹線に沿う方向に膨出するように畳みながら前記各ジョイントコネクタを幹線上に設置するのが好ましい。
【００３９】
このようにジョイントコネクタを設置し幹線上に固定することで、前記分岐電線の弛み部分が当該分岐電線と前記ジョイントコネクタとの接続部分に大きな張力が作用することを防ぎ、より接続信頼性の高いワイヤハーネスが得られる。
【００４０】
しかも、当該製造方法では、各ジョイントコネクタについてその導体保持部の開口が向く側の端末からこのジョイントコネクタに接続された分岐電線側に進行させるように幹線用テープを螺旋状に巻付けてジョイントコネクタを幹線上に固定するため、分岐電線の中間部分が当該幹線に沿う方向に膨出していても、ワイヤハーネスの製造のためのテープ巻き作業を容易に行うことができる。
【００４１】
即ち、ジョイントコネクタが幹線用テープによって分岐電線よりも先に幹線上に固定されることで、前記の分岐電線の膨出する中間部分も当該幹線上で位置決めされる。そのため、当該中間部分が膨出するように畳まれた分岐電線と幹線とに一括して幹線用テープを巻付けることが容易にでき、その結果、ワイヤハーネスの製造のためのテープ巻き作業を容易に行うことができる。
【００４２】
また、前記各ジョイントコネクタを当該支線上にそれぞれ設置する工程では、前記支線分岐電線の中間部分をその分岐始点から前記支線に沿う方向に膨出するように畳みながら前記各ジョイントコネクタを支線上に設置するのが好ましい。
【００４３】
このようにジョイントコネクタを設置し支線上に固定することで、前記支線分岐電線の弛み部分が当該支線分岐電線と前記ジョイントコネクタとの接続部分に大きな張力が作用することを防ぎ、より接続信頼性の高いワイヤハーネスが得られる。
【００４４】
しかも、当該製造方法では、各ジョイントコネクタについてその導体保持部の開口が向く側の端末からこのジョイントコネクタに接続された支線分岐電線側に進行させるように幹線用テープを螺旋状に巻付けてジョイントコネクタを支線上に固定するため、前記のジョイントコネクタの幹線上への固定と同様に、支線分岐電線の中間部分が当該支線に沿う方向に膨出していても、ワイヤハーネスの製造のためのテープ巻き作業を容易に行うことができる。
【発明の効果】
【００４５】
以上より、本発明によれば、分岐電線及びジョイントコネクタにより複数の短絡回路を構築しながら、各ジョイントコネクタと幹線とに一括して幹線用テープを巻付けることによって、取扱いが容易で接続信頼性の高いワイヤハーネスを提供することができ、また、このワイヤハーネスを簡素な工程によって製造することができる方法を提供することができる。
【発明を実施するための最良の形態】
【００４６】
以下、本発明の第１実施形態について、添付図面を参照しつつ説明する。
【００４７】
図１乃至図１１（ｂ）は、この実施形態に係るワイヤハーネス１００を製造するための工程を示す。このワイヤハーネス１００は、図１に示されるように、複数の第１の短絡回路１７を含み、複数の電線１０が束ねられてなる幹線１２と、その結束状態を保持するために当該幹線１２の周囲に巻付けられる幹線用テープ１８と、複数の第２の短絡回路１７ａを含み、幹線１２から分岐する支線６０と、ジョイントコネクタＪＣとを有する。図２にも示されるように、幹線１２を構成する電線１０のうちの複数本の電線１０は分岐電線１４として幹線１２から引き出され、これら分岐電線１４の端末にジョイントコネクタＪＣが接続されることにより、当該分岐電線１４同士が短絡され、これら分岐電線１４とジョイントコネクタＪＣとで第１の短絡回路１７が構成される。この第１の短絡回路１７は、当該ワイヤハーネス１００において幹線１２に沿った複数の位置に設けられる（図１１（ａ）及び図１１（ｂ）参照）。さらに、この第１の短絡回路１７、即ち、ジョイントコネクタＪＣ及び分岐電線１４が幹線用テープ１８を利用して図３、図１１（ａ）及び図１１（ｂ）にも示すように幹線１２上に固定される。
【００４８】
一方、幹線１２を構成する電線１０のうちの複数本の電線が幹線１２から引き出され、これら引き出された電線を含む複数の電線１０ａ（図４参照）が束ねられることにより支線６０が構成される。この支線６０を構成する複数の電線１０ａの結束状態を保持するためにも幹線用テープ１８が用いられ、この支線６０の周囲に巻付けられる。図４にも示されるように、支線６０を構成する電線１０ａのうちの複数本の電線１０ａは支線分岐電線１４ａとして支線６０から引き出され、これら支線分岐電線１４ａの端末にジョイントコネクタＪＣが接続されることにより、当該支線分岐電線１４ａ同士が短絡され、これら支線分岐電線１４ａとジョイントコネクタＪＣとで第２の短絡回路１７ａが構成される。この第２の短絡回路１７ａは、当該ワイヤハーネス１００において支線６０に沿った複数の位置に設けられる（図１参照）。さらに、この第２の短絡回路１７ａ、即ち、ジョイントコネクタＪＣ及び支線分岐電線１４ａが幹線用テープ１８を利用して図５に示すように支線６０上に固定される。
【００４９】
具体的に、この実施形態に係るワイヤハーネス１００は幹線１２の製造工程と支線６０の製造工程との各工程において次の手順にて製造される。尚、これら幹線１２の製造工程と支線６０の製造工程とは、順に行われる必要はなく、逆に行われてもよい。また、並行して行われてもよい。
【００５０】
Ｉ）幹線の製造工程
Ｉ−１）電線１０の配索
複数本の電線１０が束ねられることにより幹線１２が形成されると共に、この幹線１２に沿った複数の位置（引出位置５０）において、その電線１０のうちの複数本（この実施形態では４本）の電線１０が分岐電線１４として幹線１２から引き出される。各引出位置５０は、図１１（ａ）及び図１１（ｂ）に示すように幹線１２に沿って略等間隔に設けられる必要はなく、ワイヤハーネス１００において第１の短絡回路１７が必要な部位に設けられればよい。各電線１０には、いわゆる被覆電線が用いられ、当該電線１０は導体とこれを被覆する絶縁被覆とをそれぞれ有する。
【００５１】
尚、この実施形態では、各引出位置５０において各分岐電線１４を共通のジョイントコネクタＪＣに接続するために、予め各分岐電線１４の端末に図６及び図７に示すような電線側端子２０が装着されている。この電線側端子２０は、雌型の電気接触部２２と電線圧着部２４とを前後に有する。電気接触部２２は、中空角筒状の本体と、この本体内で撓み可能に設けられる接触ばね片２６とを有する。この電気接触部２２の底壁からは、ジョイントコネクタＪＣに係止されるための被係止片２８が外向きに突出している。
【００５２】
各分岐電線１４の端末には、予め、その絶縁被覆を除去して導体を露出させる処理が施されており、電線圧着部２４は、導体の端末及びその近傍の絶縁被覆をそれぞれ抱き込むように曲げ加工されることにより、分岐電線１４の端末に圧着され、その導体に電気的に接続されている。
【００５３】
Ｉ−２）ジョイントコネクタＪＣへの接続
各引出位置５０において各分岐電線１４に装着されている電線側端子２０が図６乃至図９に示されるようなジョイントコネクタＪＣに接続されることにより、当該電線側端子２０同士の短絡が行われる。
【００５４】
この実施形態にかかるジョイントコネクタＪＣは、単一の短絡用導体３０と、この短絡用導体３０を保持するための絶縁ハウジング４０とを備える。短絡用導体３０は、導電材料からなり、各電線側端子２０に共通して接続されることによりこれらの電線側端子２０同士を短絡させる。絶縁ハウジング４０は、合成樹脂等の絶縁材料により全体が一体に成型され、短絡用導体３０を格納した状態で保持することが可能な形状、具体的には当該短絡用導体３０の厚み方向に偏平な形状を有する。
【００５５】
この実施形態に係る短絡用導体３０は、単一の金属板を適当な形状に打ち抜くことにより形成された短絡用金属板からなり、複数の電気接触部３２と、短絡部３４とを一体に有する。各電気接触部３２は、各電線側端子２０の雌型の電気接触部２２に嵌入可能な雄型（タブ）の嵌合部であり、これらの電気接触部３２がその幅方向と平行な方向に配列されている。短絡部３４は、電気接触部３２の配列方向に延び、この短絡部３４に各電気接触部３２の基端がつながっている。
【００５６】
絶縁ハウジング４０は、互いに平行な平板状の天壁４１及び底壁４２と、両壁４１，４２の幅方向両端部同士（すなわち左側端部同士及び右側端部同士）をそれぞれつなぐ一対の側壁４４とを一体に有する。これらの壁４１，４２，４４は絶縁ハウジング４０の外壁を構成する。
【００５７】
外壁の後端部（図６乃至図９では右端部）は、導体保持部４３を構成する。この導体保持部４３内に絶縁ハウジング４０の後端に設けられた開口部４３ａから短絡用導体３０の短絡部３４が圧入されることにより、当該短絡部３４が当該導体保持部４３に保持される。
【００５８】
導体保持部４３は、短絡用導体３０の短絡部３４を保持する形状を有する。具体的には、短絡部３４よりも一回り大きく、短絡用導体３０の電気接触部３２の配列方向に延びる外形を有し、短絡部３４が後方（図６では右方）から挿入可能な短絡用導体挿入口４３ａを囲む。この挿入口４３ａから短絡部３４が各電気接触部３２を前方に向けた姿勢で導体保持部４３内に圧入される。より詳しくは、当該短絡部３４の幅方向両端部に図８に示すような突起３４ａが形成されており、これらの突起３４ａが導体保持部４３の内側面に食い込むことで導体保持部４３に短絡部３４が固定されている。
【００５９】
導体保持部４３よりも前側の部分には、両側壁４４と平行な複数（図では３つ）の仕切り壁４５がコネクタ幅方向に配列される。各仕切り壁４５は、これに隣接する他の仕切り壁４５または側壁４４との間に端子収容室４７を画定する。各端子収容室４７は、前方に開口し、かつ、その開口から電線側端子２０が挿入可能な形状を有する。各端子収容室４７内にはそれぞれ後方から短絡用導体３０の各電気接触部３２が突出しており、当該端子収容室４７に挿入された電線側端子２０の電気接触部２２が電気接触部３２と嵌合することにより当該電線側端子２０と短絡用導体３０とが電気的に導通する。
【００６０】
底壁４２には、各端子収容室４７に対応する位置にランス（端子係止部）４６が形成されている。各ランス４６は、底壁４２に形成された略コ字状のスリット４２ａ（図９参照）により囲まれていて、当該底壁４２の本体に対してその厚み方向に撓み変形することが可能な自由端部を有し、その自由端部に爪状の係止部が形成されている。この係止部は、挿入される電線側端子２０と接触することにより図６に示すように撓み変形して当該電線側端子２０の通過を許容し、その通過後に正規の位置に弾性的に復帰することにより電線側端子２０の被係止片２８を後方から拘束する（図７参照）。つまり、電線側端子２０をこの電線側端子２０が電気接触部３２と嵌合する位置に係止する。
【００６１】
従って、このジョイントコネクタＪＣでは、その端子収容室４７内に各分岐電線１４の端末の電線側端子２０が挿入されて短絡用導体３０の電気接触部３２に嵌合されることにより、当該短絡用導体３０を媒体とした電線側端子２０同士の短絡が達成される。即ち、各引出位置５０において、各ジョイントコネクタＪＣとこのジョイントコネクタＪＣに接続された各分岐電線１４とで第１の短絡回路１７が形成される。
【００６２】
Ｉ−３）ジョイントコネクタＪＣの設置
前記のようにして各引出位置５０において各分岐電線１４が接続されたジョイントコネクタＪＣは、分岐電線１４を畳むようにして幹線１２上に設置される。具体的に、この実施形態では、各分岐電線１４の中間部分１６が幹線１２に沿う方向に膨出するようにして畳まれながら、ジョイントコネクタＪＣが分岐電線１４の分岐始点１５（図２参照）の近傍の位置に設置される。
【００６３】
また、各ジョイントコネクタＪＣは、導体保持部４３の短絡用導体挿入口４３ａを幹線１２の特定の中間位置５２と反対側に向けて幹線１２上に設置される（図１１（ａ）及び図１１（ｂ）参照）。詳細には、中間位置５２が、この中間位置５２を挟んで両側に引出位置５０が位置するような幹線１２上の部位に設定されることで、当該中間位置５２を挟んでその両側にジョイントコネクタＪＣが位置した状態となる。この状態の各ジョイントコネクタＪＣが、分岐電線１４の中間部分１６が幹線１２に沿う方向に膨出するようにして畳まれながら、導体保持部４３の短絡用導体挿入口４３ａを中間位置５２と反対側を向くようにして幹線１２上に設置される。
【００６４】
この設置は、例えば次のテープ巻き作業の直前に行われて作業者が指等でジョイントコネクタＪＣを押えておくだけで行われてもよいし、粘着テープ等によるジョイントコネクタＪＣの仮止めが行われてもよい。
【００６５】
尚、幹線１２上に設置される各ジョイントコネクタＪＣは、図１０にも示されるように、ランス４６が形成されている絶縁ハウジング４０の底壁４２が幹線１２側を向くような姿勢で設置されてもよく、幹線１２と反対側を向くような姿勢で設置されてもよい。また、この実施形態のように、各ジョイントコネクタＪＣは、幹線１２に沿って当該幹線１２上に略直線状に一列に設置されず複数列に設置されてもよく、曲線等に沿って設置されてもよい。
【００６６】
Ｉ−４）テープ巻き作業
幹線１２を構成する電線１０の周囲に、その結束状態を保持するように幹線用テープ１８が螺旋状に巻付けられる。この巻付けは、図１１（ａ）及び図１１（ｂ）にも示すように幹線１２の全面を覆うように行われてもよいし、幹線１２の一部が露出する隙間をおいて行われてもよい。尚、図１１（ａ）及び図１１（ｂ）においては、説明の便宜上、支線６０を省略している。
【００６７】
具体的に、幹線１２の両端の各端末から中間位置５２側に進行させるように当該幹線１２を構成する電線１０の周囲に幹線用テープ１８を螺旋状にそれぞれ巻付ける（図１１（ｂ）の矢印参照。）。幹線用テープ１８の巻付けが各ジョイントコネクタＪＣの設置位置に到達すると、当該ジョイントコネクタＪＣについてその導体保持部４３の短絡用導体挿入口４３ａが向く側（図１１（ａ）及び図１１（ｂ）では中間位置５２と反対側）の端末からこのジョイントコネクタＪＣに接続された分岐電線１４側に進行させるように当該ジョイントコネクタＪＣ及び当該分岐電線１４と当該幹線１２とに跨ってその周囲に幹線用テープ１８を一括して螺旋状に巻付ける。このように幹線用テープ１８を用いて、幹線１２での結束状態の保持と、この幹線１２上へのジョイントコネクタＪＣの固定とを効率良く行うことができる。
【００６８】
ＩＩ）支線の製造工程
ＩＩ−１）電線１０の配索
複数の電線１０が束ねられた幹線１２の特定の中間位置５２（支線引出位置５５）において、その電線１０のうちの複数本の電線１０が当該幹線１２から引き出される。このように幹線１２から引き出された電線１０が束ねられ、若しくはこの引き出された電線１０を含むように複数の電線１０ａが束ねられることにより支線６０が形成される。この支線６０を構成する複数の電線１０ａには、幹線１２から引き出された電線１０以外に、例えば、支線６０の端末（幹線１２からの分岐始点と反対側の端末）に設けられたコネクタから幹線１２側に延び、幹線１２に到達することなく支線６０の途中から引き出され、第２の短絡回路１７ａの一部を構成する電線（即ち、支線６０内だけに配索された電線）も含まれてもよい。
【００６９】
この支線６０に沿った複数の位置（引出位置５７：図１参照）において、支線６０を構成する電線１０ａのうちの複数本（この実施形態では４本）の電線が支線分岐電線１４ａとして支線６０から引き出される（図４参照）。各引出位置５７は、幹線１２における引出位置５０同様に、第２の短絡回路１７ａが必要な部位に設けられればよい。
【００７０】
尚、支線６０から支線分岐線１４ａとして引き出される複数本の電線１０ａは、図１２に示すように幹線１２から支線６０まで配索された電線１０ａ１に限られない。例えば、図１３に示すように支線６０内にのみ配索された電線１０ａ２だけを含むものでもよく、図１４に示すように幹線１２から支線６０まで配索された電線１０ａ１と支線６０内だけで配索された電線１０ａ２との両方を含むものでもよい。前記の支線６０内にのみ配索された電線１０ａ２とは、図１３及び図１４に示されるように、支線６０の端末に配設されるコネクタＣから延び、幹線１２に到達することなく支線６０の途中から他のコネクタＣや第２の短絡回路１７ａを構成するジョイントコネクタＪＣに接続されるような電線１０ａ２である。また、支線６０の端末のコネクタＣとは、支線６０や支線６０がさらに分岐した部位６０ａに設けられる複数のコネクタＣを含む。また、この実施形態では、幹線１２から１本の支線６０が分岐しているが、これに限定されず、２本以上の支線６０が幹線１２から分岐していてもよい。また、この実施形態では、支線６０における各引出位置５７において各支線分岐電線１４ａを共通のジョイントコネクタＪＣに接続するために、予め各支線分岐電線１４ａの端末に電線側端子２０が装着されている（図６及び図７参照）。
【００７１】
ＩＩ−２）ジョイントコネクタＪＣへの接続
支線６０における各引出位置５７において各支線分岐電線１４ａに装着されている電線側端子２０がジョイントコネクタＪＣに接続され、当該ジョイントコネクタＪＣと各支線分岐電線１４ａとで当該引出位置５７において第２の短絡回路１７ａが構成される。このとき、当該ジョイントコネクタＪＣでは、その端子収容室４７内に各支線分岐電線１４ａの端末の電線側端子２０が挿入されて短絡用導体３０の電気接触部３２に嵌合されることにより、当該短絡用導体３０を媒体とした電線側端子２０同士の短絡が行われている（図６及び図７参照）。
【００７２】
ＩＩ−３）ジョイントコネクタＪＣの設置
前記のようにして支線６０の各引出位置５７において各支線分岐電線１４ａが接続されたジョイントコネクタＪＣは、図５に示すように支線分岐電線１４ａを畳むようにして支線６０上に設置される。
【００７３】
このとき、全てのジョイントコネクタＪＣが導体保持部４３の短絡用導体挿入口４３ａを当該支線６０の幹線１２からの分岐始点と反対側の端末（図１では右斜め上方）に向けて支線６０上に設置される。
【００７４】
ＩＩ−４）テープ巻き作業
支線６０を構成する電線１０ａの周囲に、その結束状態を保持するように幹線用テープ１８が螺旋状に巻付けられる。
【００７５】
具体的に、支線６０の分岐始点と反対側の端末から分岐始点側に進行させるように（図１の支線６０に沿った矢印参照）当該支線６０を構成する電線１０ａの周囲に幹線用テープ１８を螺旋状に巻付ける。幹線用テープ１８の巻付けが各ジョイントコネクタＪＣの配設位置に到達すると、幹線１２の製造工程と同様に、当該ジョイントコネクタＪＣについてその導体保持部４３の短絡用導体挿入口４３ａが向く側の端末からこのジョイントコネクタＪＣに接続された支線分岐電線１４ａ側に進行させるように当該ジョイントコネクタＪＣ及び当該支線分岐電線１４ａと当該支線６０とに跨ってその周囲に幹線用テープ１８を一括して螺旋状に巻付ける。
【００７６】
以上のようにして各ジョイントコネクタＪＣ及びこのジョイントコネクタＪＣに接続される各分岐電線１４が幹線１２上に固定されるので、当該分岐電線１４の幹線１２からの膨出長さが削減される。同様に支線６０においても、各ジョイントコネクタＪＣ及びこのジョイントコネクタＪＣに接続される各支線分岐電線１４ａが支線６０上に固定されるので、当該支線分岐電線１４ａの支線６０からの膨出長さが削減される。しかも、幹線１２に固定された各ジョイントコネクタＪＣ及び各分岐電線１４、並びに支線６０に固定された各ジョイントコネクタＪＣ及び各支線分岐電線１４ａは、幹線用テープ１８によって外側から覆われた状態にあり、これらと他の部材との直接的な接触が阻止されるので、当該ワイヤハーネス１００の取扱いは容易となる。
【００７７】
さらに、幹線１２において、各ジョイントコネクタＪＣが導体保持部４３の短絡用導体挿入口４３ａを幹線１２の特定の中間位置５２（支線引出位置５５）と反対側に向けて幹線１２上に固定されているため、当該幹線１２上で隣り合うジョイントコネクタＪＣの短絡用導体挿入口４３ａ同士が対向することがなく、各短絡用導体挿入口４３ａから覗く当該挿入口４３ａから絶縁ハウジング４０（導体保持部４３）内に圧入された短絡用導体３０同士の短絡が防がれる。
【００７８】
例えば、導体保持部４３の短絡用導体挿入口４３ａ同士が対向するように隣り合うジョイントコネクタＪＣが幹線１２上に固定されると、対向する導体保持部４３の短絡用導体挿入口４３ａ間に水や汚れ等の導電性の異物が付着することにより各挿入口４３ａから覗く短絡用導体３０同士の短絡が生じ、また、各挿入口４３ａの間隔が狭いとワイヤハーネス１００に電流が流れ各短絡用導体３０に電圧がかかったときに、これら対向する短絡用導体挿入口４３ａ内から覗く短絡用導体３０間で放電による短絡が生じる場合がある。これに対し、この実施形態に係るワイヤハーネス１００においては、各ジョイントコネクタＪＣが導体保持部４３の短絡用導体挿入口４３ａを中間位置５２と反対側に向けて幹線１２上に固定されることにより、当該幹線１２上において隣り合うジョイントコネクタＪＣの導体保持部４３の短絡用導体挿入口４３ａ同士が対向しない配置となるため、隣り合うジョイントコネクタＪＣ同士の絶縁を確実に図ることができる。
【００７９】
支線６０においては、全てのジョイントコネクタＪＣが導体保持部４３の短絡用導体挿入口４３ａを支線６０の分岐始点と反対側の端末に向けて支線６０上に設置されることにより、当該支線６０上でも隣り合うジョイントコネクタＪＣの短絡用導体挿入口４３ａ同士が対向することがなく、各短絡用導体挿入口４３ａから覗く短絡用導体３０同士の短絡が防がれる。しかも、支線６０における全てのジョイントコネクタＪＣが短絡用導体挿入口４３ａを前記分岐始点と反対側の端末に向けて支線６０上に設置されることにより、幹線１２と支線６０との間で近接するジョイントコネクタＪＣの短絡用導体挿入口４３ａ同士が対向することも防止され、前記近接する支線６０のジョイントコネクタＪＣと幹線１２のジョイントコネクタＪＣとの各短絡用導体挿入口４３ａから覗く短絡用導体３０同士の短絡も防がれる。
【００８０】
さらに、この実施形態のように、ジョイントコネクタＪＣの設置位置においても当該ジョイントコネクタＪＣ及び幹線１２（又は支線６０）の全面を覆うように幹線用テープ１８を巻付けることで、導体保持部４３の短絡用導体挿入口４３ａも当該幹線用テープ１８によって塞がれるため、隣り合うジョイントコネクタＪＣ同士の絶縁をさらに確実に図ることができる。
【００８１】
幹線１２における各ジョイントコネクタＪＣの設置位置では、当該ジョイントコクタＪＣが分岐電線１４よりも先に幹線用テープ１８によって当該幹線１２上に固定されるため、その後の分岐電線１４の当該幹線１２上への幹線用テープ１８による固定が行い易くなり、ワイヤハーネス１００の製造のためのテープ巻き作業の容易化が図られる。
【００８２】
即ち、ジョイントコネクタＪＣが当該幹線１２上に先に固定されることにより、このジョイントコネクタＪＣに接続された分岐電線１４の両端、即ち、ワイヤハーネス１００からの分岐始点１５（図２参照）及びジョイントコネクタＪＣとの接続部位の位置が固定され、これにより当該分岐電線１４が当該幹線１２上で動き難くなる。そのため、この実施形態のように、分岐電線１４の中間部分１６（図３参照）が当該幹線１２に沿う方向に膨出するようにジョイントコネクタＪＣが幹線１２上に設置されても、当該ジョイントコネクタＪＣが分岐電線１４よりも先に幹線１２上に固定されることで、前記の分岐電線１４の膨出する中間部分１６も当該幹線１２上で位置決めされ、当該分岐電線１４の膨出する中間部分１６と幹線１２上とに一括して幹線用テープ１８を容易に巻付けることができる。
【００８３】
また、支線６０における各ジョイントコネクタＪＣの設置位置でも、幹線１２と同様に、当該ジョイントコクタＪＣが支線分岐電線１４ａよりも先に幹線用テープ１８によって当該支線６０上に固定されるため、その後の支線分岐電線１４ａの当該支線６０上への幹線用テープ１８による固定が行い易くなり、ワイヤハーネス１００の製造のためのテープ巻き作業の容易化が図られる。
【００８４】
また、幹線１２においては、前記のようにして分岐電線１４の中間部分１６が畳まれた状態でジョイントコネクタＪＣが幹線１２上に設置されることにより、畳まれた分岐電線１４の弛み部分（中間部分１６）の長さは、本来の分岐電線１４の電線長に比して短く（この実施形態では約半分）、従って当該弛み部分に幹線用テープ１８を巻付ける作業が容易となる。同様に支線６０においても、支線分岐電線１４ａの中間部分が畳まれた状態でジョイントコネクタＪＣが支線６０上に設置されることにより、畳まれた支線分岐電線１４ａの弛み部分の長さは、本来の支線分岐電線１４ａの電線長に比して短く、従って当該弛み部分に幹線用テープ１８を巻付ける作業が容易となる。
【００８５】
このようにして幹線１２においては、分岐電線１４が畳まれることで、当該分岐電線１４は幹線１２上にコンパクトに収められ、かつ、その畳みにより分岐電線１４に与えられた弛みは、当該分岐電線１４とジョイントコネクタＪＣとの接続部分に大きな張力が作用することを防ぐ。同様に支線６０においても、支線分岐電線１４ａが畳まれることで、当該支線分岐電線１４ａは支線６０上にコンパクトに収められ、かつ、その畳みにより支線分岐電線１４ａに与えられた弛みは、当該支線分岐電線１４ａとジョイントコネクタＪＣとの接続部分に大きな張力が作用することを防ぐ。
【００８６】
次に、本発明の第２実施形態について図１５（ａ）及び図１５（ｂ）も参照しつつ説明するが、上記第１実施形態と同様の構成には同一符号を用いると共に詳細な説明を省略し、異なる構成ついてのみ詳細に説明する。また、この実施形態も第１実施形態同様に、幹線の製造工程と支線の製造工程との２つの工程によってワイヤハーネス１００が製造されるが、この実施形態に係る支線の製造工程が第１実施形態に係る支線の製造工程と同一工程であるため説明を省略する。
【００８７】
Ｉ）幹線の製造工程
Ｉ−１）電線１０の配索
複数本の電線１０が束ねられることにより幹線１２が形成されると共に、この幹線に沿った複数の引出位置５０において、その電線１０のうちの複数本の電線が分岐電線１４として幹線１２から引き出される。
【００８８】
Ｉ−２）ジョイントコネクタＪＣへの接続
各引出位置５０において各分岐電線１４に装着されている電線側端子２０がジョイントコネクタＪＣに接続され、当該ジョイントコネクタＪＣと各分岐電線１４とで当該引出位置５０において第１の短絡回路１７が構成される（図２参照）。このとき、当該ジョイントコネクタＪＣでは、その端子収容室４７内に各分岐電線１４の端末の電線側端子２０が挿入されて短絡用導体３０の電気接触部３２に嵌合されることにより、当該短絡用導体３０を媒体とした電線側端子２０同士の短絡が行われている（図６及び図７参照）。
【００８９】
Ｉ−３）ジョイントコネクタＪＣの設置
前記のようにして各引出位置５０において各分岐電線１４が接続されたジョイントコネクタＪＣは、分岐電線１４を畳むようにして幹線１２上に設置される（図３参照）。
【００９０】
このとき、図１５（ａ）及び図１５（ｂ）にも示すように、全てのジョイントコネクタＪＣが導体保持部４３の短絡用導体挿入口４３ａを幹線１２の一方の端末側（図１５（ｂ）では右側）に向けて幹線１２上に設置される。尚、図１５（ａ）及び図１５（ｂ）においては、第１実施形態同様に説明の便宜上、支線６０を省略している。
【００９１】
Ｉ−４）テープ巻き作業
幹線１２を構成する電線１０の周囲に、その結束状態を保持するように幹線用テープ１８が螺旋状に巻付けられる。
【００９２】
具体的に、幹線１２の一方の端末から他方の端末側に進行させる（図１５（ｂ）の矢印参照）ように当該幹線１２を構成する電線１０の周囲に幹線用テープ１８を螺旋状に巻付ける。幹線用テープ１８の巻付けが各ジョイントコネクタＪＣの配設位置に到達すると、第１実施形態と同様に、当該ジョイントコネクタＪＣについてその導体保持部４３の短絡用導体挿入口４３ａが向く側（図１５（ｂ）では右側）の端末からこのジョイントコネクタＪＣに接続された分岐電線１４側（図１５（ｂ）では左側）に進行させるように当該ジョイントコネクタＪＣ及び当該分岐電線１４と当該幹線１２とに跨ってその周囲に幹線用テープ１８を一括して螺旋状に巻付ける。
【００９３】
この実施形態のように全てのジョイントコネクタＪＣが導体保持部４３の短絡用導体挿入口４３ａを幹線１２の一方の端末側に向けて幹線１２上に設置されても、第１実施形態と同様に、当該幹線１２上で隣り合うジョイントコネクタＪＣの短絡用導体挿入口４３ａ同士が対向することがなく、各短絡用導体挿入口４３ａから覗く短絡用導体３０同士の短絡が防がれる。
【００９４】
また、幹線１２における各ジョイントコネクタＪＣの設置位置でも、第１実施形態同様に、当該ジョイントコクタＪＣが分岐電線１４よりも先に幹線用テープ１８によって当該幹線１２上に固定されるため、その後の分岐電線１４の当該幹線１２上への幹線用テープ１８による固定が行い易くなり、ワイヤハーネス１００の製造のためのテープ巻き作業の容易化が図られる。
【００９５】
尚、本発明のワイヤハーネス１００は、前記の第１実施形態及び第２実施形態に限定されるものではなく、本発明の要旨を逸脱しない範囲内において種々変更を加え得ることは勿論である。
【００９６】
例えば、第１実施形態及び第２実施形態のように、全てのジョイントコネクタＪＣが当該ジョイントコネクタＪＣに接続された分岐電線１４（又は支線分岐電線１４ａ）の中間部分１６を畳んだ状態で幹線１２（又は支線６０）上に設置される必要はない。即ち、幹線１２（又は支線６０）上に設置された複数のジョイントコネクタＪＣにおいて、隣り合うジョイントコネクタＪＣの導体保持部４３の短絡用導体挿入口４３ａ同士が対向しない配置となればよく、例えば、分岐電線１４（又は支線分岐線１４ａ）が幹線１２（又は支線６０）に沿うようにジョイントコネクタＪＣが幹線１２（又は支線６０）上に設置されてもよい。
【００９７】
また、第１実施形態及び第２実施形態のように、ワイヤハーネス１００において幹線１２に第１の短絡回路１７を設ける必要はなく、支線６０のみに第２の短絡回路１７ａを設ける構成であってもよい。また、ワイヤハーネス１００は、支線６０が設けられる必要もなく、幹線１２のみで構成されてもよい。
【図面の簡単な説明】
【００９８】
【図１】第１実施形態に係るワイヤハーネスの製造工程におけるテープ巻作業を示す斜視図である。
【図２】第１実施形態及び第２実施形態において複数の分岐電線の端末に共通のジョイントコネクタが接続された状態を示す斜視図である。
【図３】前記ジョイントコネクタが幹線用テープを用いて幹線上に固定された状態を示す斜視図である。
【図４】第１実施形態及び第２実施形態において複数の再分岐電線の端末に共通のジョイントコネクタが接続された状態を示す斜視図である。
【図５】前記ジョイントコネクタが幹線用テープを用いて支線上に固定された状態を示す斜視図である。
【図６】前記分岐電線又は再分岐電線の端末に装着された電線側端子が前記ジョイントコネクタに挿入される途中の状態を示す断面側面図である。
【図７】前記分岐電線又は再分岐電線の端末に装着された電線側端子が前記ジョイントコネクタに完全に挿入された状態を示す断面側面図である。
【図８】前記ジョイントコネクタの断面平面図である。
【図９】前記ジョイントコネクタの底面図である。
【図１０】前記ジョイントコネクタが幹線上に設置された状態を示す斜視図である。
【図１１】第１実施形態に係るワイヤハーネスの製造工程のうちの幹線の製造工程におけるテープ巻き作業を示す（ａ）は斜視図であり、（ｂ）は側面図である。
【図１２】幹線から支線まで配索された電線だけで支線分岐電線が構成された状態を示す配索図である。
【図１３】支線内だけで配索された電線だけで支線分岐電線が構成された状態を示す配索図である。
【図１４】幹線から支線まで配索された電線と支線内だけで配索された電線との両方の電線で支線分岐電線が構成された状態を示す配索図である。
【図１５】第２実施形態に係るワイヤハーネスの製造工程のうちの幹線の製造工程におけるテープ巻き作業を示す（ａ）は斜視図であり、（ｂ）は側面図である。
【符号の説明】
【００９９】
１０   電線
１２   幹線
１４   分岐電線
１８   幹線用テープ
２０   電線側端子
３０   短絡用導体（短絡用金属板）
３２   電気接触部（嵌合部）
４０   絶縁ハウジング
４３   導体保持部
４３ａ 短絡用導体挿入口（開口）
４７   端子収容室
５０   特定の中間位置
１００ ワイヤハーネス
ＪＣ   ジョイントコクタ
【図１】
2010103044.tif 000003
【図２】
2010103044.tif 000004
【図３】
2010103044.tif 000005
【図４】
2010103044.tif 000006
【図５】
2010103044.tif 000007
【図６】
2010103044.tif 000008
【図７】
2010103044.tif 000009
【図８】
2010103044.tif 000010
【図９】
2010103044.tif 000011
【図１０】
2010103044.tif 000012
【図１１】
2010103044.tif 000013
【図１２】
2010103044.tif 000014
【図１３】
2010103044.tif 000015
【図１４】
2010103044.tif 000016
【図１５】
2010103044.tif 000017